(57)【要約】【課題】簡単な構成で継続的に光路内の異物を捕獲する。【解決手段】レンズ鏡筒１２の基端部に取り付けられた基板２２には、撮像素子１４が取り付けられており、その撮像素子１４の下部位置には、レンズ鏡筒１２内の塵芥等の異物を捕獲するための収容室２６が設けられている。【選択図】      図１
2008010938.tif 000002
【特許請求の範囲】
【請求項１】
撮像光学系によって結像された画像を撮像手段によって撮像する撮像ユニットにおいて、
前記撮像光学系の光路を画成する壁面に形成され、前記光路内の異物を取り込むための開口部と、
前記開口部から取り込まれた異物を収容するため収容部と、
を備えたことを特徴とする撮像ユニット。
【請求項２】
前記開口部を開閉する弁と、
前記弁を駆動する弁駆動手段と、
を備えたことを特徴とする請求項１に記載の撮像ユニット。
【請求項３】
前記壁面に振動を与える振動手段を備えたことを特徴とする請求項１又は２に記載の撮像ユニット。
【請求項４】
前記弁駆動手段は、前記振動手段を兼用し、前記弁を開閉させて、前記壁面に振動を与えることを特徴とする請求項３に記載の撮像ユニット。
【請求項５】
前記弁駆動手段は、前記撮影光学系の駆動手段を兼用することを特徴とする請求項２、３又は４に記載の撮像ユニット。
【請求項６】
非撮影時に前記弁が動作するように前記弁駆動手段を制御する制御手段を備えたことを特徴とする請求項５に記載の撮像ユニット。
【発明の詳細な説明】
【技術分野】
【０００１】
本発明は撮像ユニットに係り、特にデジタルスチルカメラやデジタルビデオカメラ、カメラ付き携帯電話等に組み込まれる撮像ユニットに関する。
【背景技術】
【０００２】
撮影光学系によって結像された被写体像をＣＣＤ等の撮像素子を用いて撮像する撮像ユニットの場合、撮影光学系の光路内、特に撮像素子の受光面に近い部位（たとえば、撮像素子の封止ガラスの表面等）に塵芥を含む異物が付着すると、撮影画像にシミ状の特異点が発現するという問題がある。
【０００３】
このため、従来の撮像ユニットでは、撮影光学系の光路の密閉性を高めたり（たとえば、特許文献１、２参照）、光路内に異物捕獲用の粘着材を配置したり（たとえば、特許文献３、４参照）して、封止ガラスの表面等に異物が付着するのを防止している。
【特許文献１】特開平６−３４９０１号公報
【特許文献２】特開平８−１３６９８２号公報
【特許文献３】特開２００５−９２０９６号公報
【特許文献４】特開２００５−２７８０３４号公報
【発明の開示】
【発明が解決しようとする課題】
【０００４】
しかしながら、ズームレンズのように撮影光学系に多くの可動部を有する撮像ユニットの場合、光路の密閉性を高めるのはきわめて難しく、構成が複雑になるという欠点がある。
【０００５】
また、光路内に粘着材を配置して、異物を捕獲する方法の場合、粘着材が径時劣化するため、径時的に異物の捕獲能力が劣化するという欠点がある。
【０００６】
本発明は、このような事情に鑑みてなされたもので、簡単な構成で継続的に光路内の異物を捕獲できる撮像ユニットを提供することを目的とする。
【課題を解決するための手段】
【０００７】
請求項１に係る発明は、前記目的を達成するために、撮像光学系によって結像された画像を撮像手段によって撮像する撮像ユニットにおいて、前記撮像光学系の光路を画成する壁面に形成され、前記光路内の異物を取り込むための開口部と、前記開口部から取り込まれた異物を収容するため収容部と、を備えたことを特徴とする撮像ユニットを提供する。
【０００８】
請求項１に係る発明によれば、撮像光学系の光路に侵入した塵芥等の異物をその光路を画成する壁面に形成された開口部から取り込み、収容部に収容しておくことができる。これにより、簡単な構成で継続的に光路内の異物を捕獲することができる。
【０００９】
請求項２に係る発明は、前記目的を達成するために、前記開口部を開閉する弁と、前記弁を駆動する弁駆動手段と、を備えたことを特徴とする請求項１に記載の撮像ユニットを提供する。
【００１０】
請求項２に係る発明によれば、開口部を開閉する弁が設けられている。これにより、収容部に収容した異物が不用意に開口部から光路内に漏れるのを防止することができる。
【００１１】
請求項３に係る発明は、前記目的を達成するために、前記壁面に振動を与える振動手段を備えたことを特徴とする請求項１又は２に記載の撮像ユニットを提供する。
【００１２】
請求項３に係る発明によれば、壁面に振動を与えることができる。これにより、壁面や撮像素子の封止ガラス等に付着した塵芥等の異物を振動で振るい落とすことができる。
【００１３】
請求項４に係る発明は、前記目的を達成するために、前記弁駆動手段は、前記振動手段を兼用し、前記弁を開閉させて、前記壁面に振動を与えることを特徴とする請求項３に記載の撮像ユニットを提供する。
【００１４】
請求項４に係る発明によれば、弁の開閉を駆動する弁駆動手段が、振動手段を兼用し、弁を開閉させて、壁面に振動を与える。これにより、振動手段を別途設ける必要がなくなり、構成を簡素化することができる。
【００１５】
請求項５に係る発明は、前記目的を達成するために、前記弁駆動手段は、前記撮影光学系の駆動手段を兼用することを特徴とする請求項２、３又は４に記載の撮像ユニットを提供する。
【００１６】
請求項５に係る発明によれば、弁の開閉を駆動する弁駆動手段が、撮影光学系の駆動手段を兼用する。これにより、撮影光学系の駆動手段を別途も受ける必要がなくなり、構成を簡素化することができる。
【００１７】
請求項６に係る発明は、前記目的を達成するために、非撮影時に前記弁が動作するように前記弁駆動手段を制御する制御手段を備えたことを特徴とする請求項５に記載の撮像ユニットを提供する。
【００１８】
請求項６に係る発明によれば、非撮影時に弁が動作するように弁駆動手段が制御手段によって駆動制御される。これにより、撮影中に不用意に弁が開けられて、収容部に収容した異物が開口部から漏れ出るのを防止できる。
【発明の効果】
【００１９】
本発明に係る撮像ユニットによれば、簡単な構成で継続的に光路内の異物を捕獲することができる。
【発明を実施するための最良の形態】
【００２０】
以下、添付図面を参照して本発明に係る撮像ユニットを実施するための最良の形態について説明する。
【００２１】
図１は、本発明に係る撮像ユニットの第１の実施の形態の側面断面図であり、図２は、その２−２断面図である。
【００２２】
この撮像ユニット１０は、デジタルスチルカメラやデジタルビデオカメラ、カメラ付き携帯電話機等の撮像装置に組み込まれる撮像ユニットであって、レンズ鏡筒１２にＣＣＤ等の撮像素子１４が一体的に組み付けられて構成される。
【００２３】
レンズ鏡筒１２は、円筒状に形成されており、その内部にレンズ１６、絞り１８、シャッタ２０等の光学部材が収納配置されている。レンズ１６は、フォーカスレンズとズームレンズを含み、フォーカスレンズが、光軸Ｌに沿って前後移動することにより、フォーカシングが行われる。また、ズームレンズが、光軸Ｌに沿って前後移動することにより、ズーミングが行われる。
【００２４】
撮像素子１４は、封止ガラス１４ａで封止されて基板２２に取り付けられている。この基板２２は、矩形の板状に形成されており、ビス等によってレンズ鏡筒１２の基端部に一体的に取り付けられる。そして、この基板２２が、レンズ鏡筒１２の基端部に取り付けられることにより、レンズ鏡筒１２の内壁面１２ａと基板２２の内壁面２２ａとによってレンズ１６等からなる撮影光学系の光路が画成される。撮像素子１４は、この基板２２の前面中央に取り付けられており、この基板２２をレンズ鏡筒１２に取り付けることにより、レンズ１６の光軸Ｌ上に配置される。
【００２５】
基板２２に取り付けられた撮像素子１４の下部位置には、矩形状の凹部２４が所定の深さをもって形成されている。この凹部２４は、基板２２がレンズ鏡筒１２に取り付けられると、そのレンズ鏡筒１２の基端部に一部が閉塞されて、撮像素子１４の下部位置に所定の空間２６を形成する。この空間２６は、レンズ鏡筒１２の内部に侵入した塵芥等の異物を捕獲し、収容する収容室として機能し（以下、空間２６を収容室２６と呼ぶ）、撮像素子１４の下部位置に形成される開口部２６ａから塵芥等の異物を取り込む。
【００２６】
以上のように構成された撮像ユニット１０によれば、レンズ鏡筒１２の内部に侵入した塵芥等の異物が、収容室２６に取り込まれることにより、その異物が撮影画像に影響を及ぼす位置に移動するのを防止できる。これにより、レンズ鏡筒１２の内部に侵入した異物による撮影画像への悪影響を抑止できる。
【００２７】
また、本実施の形態の構成は、径時的に劣化するものではないので、継続的に使用することができ、また、きわめてシンプルな構成なので、ユニットを大型化させることもない。
【００２８】
なお、上記の実施の形態では、収容室２６を形成する凹部２４の形状を矩形状としているが、凹部２４の形状は、これに限定されるものではない。たとえば、図３（ａ）に示すように、底部が拡大したアリ溝状の凹部を形成してもよい。これにより、収容室２６に捕獲した異物が、再び開口部２６ａからレンズ鏡筒１２の内部に排出されるのを効果的に防止することができる。同様に図３（ｂ）に示すように、開口部２６ａに返しを形成したり、図３（ｃ）に示すように、底部に段部を形成したりして、開口部２６ａから異物が排出されるのを防止するようにしてもよい。
【００２９】
また、上記の実施の形態では、撮像素子１４の下部位置に開口部２６ａを形成しているが、開口部２６ａを形成する位置は、これに限定されるものではない。たとえば、図３（ｄ）に示すように、レンズ鏡筒１２の内周面に所定形状の凹部２４を形成して、開口部２６ａ及び収容室２６を形成するようにしてもよい。
【００３０】
ただし、塵芥等の異物が、撮影画像に影響を及ぼすのは撮像素子１４の受光面に近い部位であることから、撮像素子１４の近傍に形成することが好ましい。
【００３１】
また、上記実施の形態では、開口部２６ａを一部にのみ形成しているが、複数箇所に形成するようにしてもよい。ただし、落下した異物を効果的に捕獲できるようにするため、少なくとも一つはレンズ鏡筒内の底部に相当する位置に形成することが好ましい。
【００３２】
なお、レンズ１６や封止ガラス１４ａに付着した異物を効果的に払い落とすためには、レンズ鏡筒１２や基板２２等に振動を与えることが好ましい。このため、レンズ鏡筒１２や基板２２等に振動手段を付加することが好ましい。
【００３３】
また、振動手段を備えた場合には、撮像ユニットが組み込まれた撮像装置の休止中に加振動作を行うことが好ましい。たとえば、その撮像装置が充電台（いわゆるクレードル）を備えている場合には、その充電台に載置されている間（たとえば、載置されてから一定期間）に加振動作を行う。
【００３４】
図４は、本発明に係る撮像ユニットの第２の実施の形態の側面断面図である。
【００３５】
本実施の形態の撮像ユニット１０Ａは、開口部２６ａに弁３０が備えられている点で上述した第１の実施の形態の撮像ユニットと相違している。したがって、以下においては、この弁３０の構成と作用についてのみ説明する。
【００３６】
図４に示すように、弁３０は、弁本体３０ａと、その弁本体３０ａの下部から延設された押圧片３０ｂと、弁本体３０ａの下辺部に沿って配設された回転軸３０ｃとで構成されている。弁本体３０ａは、収容室２６の開口部２６ａを覆う矩形の板状に形成されている。押圧片３０ｂは、その弁本体３０ａの下部に一体成形されており、弁本体３０ａに対して所定角度傾斜して設けられている。
【００３７】
このように形成された弁３０は、その回転軸３０ｃが基板２２に形成された図示しない軸受に軸支されることにより、基板２２に揺動自在に取り付けられる。そして、この基板２２に取り付けられた弁３０には、図示しない付勢手段（たとえば、トーションバネ）が取り付けられ、この付勢手段の付勢力によって弁本体３０ａが基板２２に押し付けられて、弁本体３０ａで開口部２６ａを閉じる。
【００３８】
このように、弁３０は、付勢手段の作用によって、定常状態では開口部２６ａを閉じている。一方、付勢手段の付勢力に抗して押圧片３０ｂを押圧すると、回転軸３０ｃを中心に弁本体３０ａが回動し、開口部２６ａを開放する。
【００３９】
この押圧片３０ｂの押圧／押圧解除は、レンズ鏡筒１２に設けられたアクチュエータ３２によって行われる。アクチュエータ３２は、アクチュエータ本体３２ａと、そのアクチュエータ本体３２ａから進退自在に設けられた押圧ピン３２ｂとからなり、押圧ピン３２ｂを進出させると、押圧片３０ｂを押圧し、押圧ピン３２ｂを退避させると、押圧片３０ｂの押圧を解除する。
【００４０】
なお、アクチュエータ３２の駆動は、図示しない制御手段（たとえば、当該撮像ユニットが組み込まれたデジタルカメラのＣＰＵ等）によって制御されており、この制御手段からのコマンドに応じて押圧ピン３２ｂを進退させる。
【００４１】
以上のように構成された第２の実施の形態の撮像ユニット１０Ａによれば、収容室２６の開口部２６ａに弁３０が設けられているので、収容室２６に捕獲した塵芥等の異物が、収容室２６から漏れ出るのを効果的に防止することができる。
【００４２】
なお、弁３０を開閉させるタイミングは、ユーザが任意に設定してもよいが、自動で行う場合は、次のタイミングで行うことが好ましい。
【００４３】
すなわち、撮影中に不用意に収容室２６から捕獲した異物が漏れ出ると、撮影画像に悪影響を与えるおそれがあるので、撮影中は弁３０を閉じるようにする。撮影中か否かの判断は、たとえば、カメラのモードに基づいて判断する。また、撮像ユニットが組み込まれた撮像装置が、充電台（いわゆるクレードル）を備えている場合には、その充電台に載置されると、弁３０を開け、充電台から取り上げられると、弁３０を閉じるようにする。
【００４４】
また、開口部２６ａが逆さにされた場合（開口部２６ａが撮像素子１４の下部に配置形成されている場合において、撮像ユニットが組み込まれた撮像装置の天地が逆転された場合）、開口部２６ａから収容室２６に捕獲した異物が漏れ出るおそれがあるので、開口部２６ａが逆さにされた場合は、弁３０を閉じるようにする。開口部２６ａが逆さにされたか否かの判断は、撮像ユニット１０Ａが組み込まれた撮像装置に姿勢検出センサ（たとえば、重力センサ）を取り付け、その姿勢検出センサの出力に基づいて判断する。
【００４５】
また、レンズ鏡筒１２や基板２２等に振動を付加する振動手段を備えている場合には、この振動手段の動作中にのみ弁３０を開け、非動作中は閉じるようにする。
【００４６】
なお、このように開口部２６ａに弁３０が備えられている場合には、その弁３０の開閉動作によって、レンズ鏡筒等に振動を与えるようにしてもよい。すなわち、高い周期性を持たせて弁３０を連続的に開閉させると、その開閉時の衝撃でレンズ鏡筒等に微振動を発生させることができるので、その振動を利用して、レンズ等に付着した異物を振るい落とすようにする。これにより、別途振動手段を備える必要がなくなり、構成を簡略化することができる。
【００４７】
なお、上記実施の形態では、板状の弁を揺動させて、開口部を開閉する構成としているが、弁の構成は、上記のものに限定されるものではない。開口部を必要に応じて開閉できる構成のものであれば、他の構成の弁機構を用いてもよい。
【００４８】
また、上記実施の形態では、弁の開閉をアクチュエータで行っているが、手動で行う構成としてもよい。
【００４９】
なお、構成の簡略化を図るためには、撮像ユニットの他の駆動機構、たとえば、レンズを駆動する駆動機構や、シャッタ、絞りを駆動する駆動機構を流用して、弁を駆動することが好ましい。
【００５０】
以下、撮像ユニットの他の駆動機構を流用して、弁を駆動する場合について説明する。
【００５１】
図５は、本発明に係る撮像ユニットの第３の実施の形態の要部の構成を示す側面断面図である。
【００５２】
本実施の形態の撮像ユニット１０Ｂは、フォーカシングを行うフォーカスレンズ１６Ｆの駆動機構を用いて弁３０を開閉する。
【００５３】
なお、撮影光学系の基本構成は、上述した第１、第２の実施の形態の撮像レンズと同じであるが、説明の便宜上、図５には、フォーカスレンズ１６Ｆのみを記載している。
【００５４】
図５に示すように、フォーカスレンズ１６Ｆは、レンズ枠４０に保持されている。このレンズ枠４０は、リング状に形成されており、その外周部の下端にロッド４２が垂直に連結されている。
【００５５】
一方、レンズ鏡筒１２には、光軸Ｌと平行にスリット４４が形成されている。このスリット４４は、ロッド４２の外径とほぼ同じ幅をもって形成されている。ロッド４２は、このスリット４４を通して、レンズ鏡筒１２の外周部に突出して設けられている。そして、このスリット４４にガイドされて光軸Ｌに沿って前後移動する。
【００５６】
ロッド４２の先端には、ナット部４６が一体的に形成されている。このナット部４６は、光軸Ｌと平行に配設されたネジ棒４８に螺合されている。ネジ棒４８は、レンズ鏡筒１２に図示しないブラケットを介して取り付けられたレンズ駆動モータ５０の出力軸に連結されており、このレンズ駆動モータ５０を駆動することにより、ネジ棒４８が回転する。
【００５７】
レンズ駆動モータ５０を駆動して、ネジ棒４８を回転させると、ナット部４６がネジ棒４８に沿って前後移動し、この結果、ナット部４６に連結されたロッド４２が、光軸Ｌに沿って前後移動する。そして、このロッド４２が光軸Ｌに沿って前後移動することにより、レンズ枠４０が光軸Ｌに沿って前後移動し、そのレンズ枠４０に保持されたフォーカスレンズ１６Ｆが光軸Ｌに沿って前後移動する。
【００５８】
また、ロッド４２には、棒状の押圧部５２が基板２２側に突出して設けられている。この押圧部５２は、フォーカスレンズ１６Ｆを撮像素子１４側に向けて移動させると、図６（ａ）に示すように、所定位置で弁３０の押圧片３０ｂに当接する。この状態で更に撮像素子１４側に向けてフォーカスレンズ１６Ｆを移動させると、押圧部５２が押圧片３０ｂを押圧し、この結果、図６（ｂ）に示すように、弁本体３０ａが回動し、開口部２６ａが開放される。
【００５９】
以上のように構成された本実施の形態の撮像ユニット１０Ｂによれば、平常状態（押圧部５２で押圧片３０ｂを押圧していない状態）では、弁３０に設けられた図示しない付勢手段の作用によって弁３０は閉じられた状態にあるが、図６（ｂ）に示すように、フォーカスレンズ１６Ｆを撮像素子１４側に向けて移動させて、押圧部５２で押圧片３０ｂを押圧すると、弁本体３０ａが回動して、開口部２６ａが開放される。
【００６０】
このように、弁３０は、フォーカスレンズ１６Ｆの駆動によって開閉される。これにより、弁開閉用のアクチュエータを別途設ける必要がなくなり、ユニット全体の構成を簡略化することができる。
【００６１】
なお、このようにレンズの駆動に連動させて弁３０を開閉させる構成の場合、弁３０は、レンズを撮影時には使用しない領域に移動させた場合にのみ開くように構成することが好ましい。たとえば、図７に示すように、フォーカスレンズ１６Ｆのフォーカシングに用いる移動領域が位置Ｐ１〜位置Ｐ２の間とすると、弁３０は、フォーカスレンズ１６Ｆを位置Ｐ２以降の領域（位置Ｐ２〜位置Ｐ３の間）に移動させた場合にのみ開くように構成する（位置Ｐ２以降の領域（位置Ｐ２〜位置Ｐ３の間）に移動させると、押圧部５２が押圧片３０ｂと当接するように構成する）。これにより、撮影中に不用意に弁３０が開けられて、収容室２６に捕獲した異物がレンズ鏡筒内に漏れ出るのを防止することができる。
【００６２】
ズームレンズの駆動に連動させて弁を開閉する場合も同じであり、ズーミングに用いる移動領域以外の領域にズームレンズを移動させた場合にのみ弁が開くように構成する。また、シャッタや絞りの駆動手段を利用して弁を駆動する場合には、撮影時以外に弁が開くように構成する。
【００６３】
なお、たとえば、沈胴式のレンズ鏡筒を採用している場合には、沈胴動作に連動して、弁が開くよう構成することが好ましい。すなわち、沈胴式のレンズ鏡筒の場合、撮影時と収納時（沈胴時）とでレンズの位置が異なるので、レンズが収納位置に移動すると、押圧部が押圧片を押圧して、弁が開くように構成する。
【００６４】
また、レンズ鏡筒１２や基板２２等に振動を加えて異物を除去する場合には、弁３０の開閉に連動させて振動を加えることが好ましい。すなわち、弁３０が開いているときにのみ振動を加えて、異物を除去するように構成する。
【００６５】
なお、図５に示した撮像ユニット１０Ｂの場合、次のように構成することにより、フォーカスレンズ１６Ｆの駆動によってレンズ鏡筒１２に振動を加えることが可能になる。すなわち、押圧部５２が押圧片３０ｂに当接した後、更にフォーカスレンズ１６Ｆを撮像素子１４に向けて移動させると、ロッド４２がスリット４４の端部に当接するように構成する。ロッド４２がスリット４４の端部に当接すると、その衝撃でレンズ鏡筒１２に振動が発生するので、この当接による衝撃で振動を発生させる。具体的には、ロッド４２をスリット４４の端部に当接後、高い周期性をもって前後移動させることにより、ロッド４２をスリット４４の端部に連続的に衝突させる。これにより、レンズ鏡筒１２に微振動が発生し、レンズ等に付着した異物を効果的に除去することができる。
【００６６】
このようにレンズの駆動手段を利用して、レンズ鏡筒等に振動を発生させることにより、別途振動手段を備える必要がなくなり、構成を簡略化することができる。
【００６７】
なお、この他、弁３０を連続的に開閉させることによっても、レンズ鏡筒等に振動を発生させることができる。
【００６８】
図８は、本発明に係る撮像ユニットの第４の実施の形態の要部の構成を示す側面断面図である。
【００６９】
本実施の形態の撮像ユニット１０Ｃは、いわゆるインパクト型圧電アクチュエータ６０を用いてフォーカスレンズ１６Ｆ及び弁３０を駆動する。
【００７０】
なお、撮影光学系の基本構成は、上述した第１、第２の実施の形態の撮像レンズと同じであるが、説明の便宜上、図８には、フォーカスレンズ１６Ｆのみを記載している。
【００７１】
インパクト型アクチュエータ６０は、図８に示すように、主として圧電素子６２と、その圧電素子６２に固着された棒状の駆動軸６４と、駆動軸６４に摩擦結合された被駆動部材６６とで構成されている。このインパクト型アクチュエータ６０は、圧電素子６２に所定波形の駆動パルスを印加すると、駆動軸６４に所定の振動が発生し、この振動の作用で被駆動部材６６が駆動軸６４に沿って前後移動する。
【００７２】
レンズ枠４０に設けられたロッド４２は、このインパクト型アクチュエータ６０の被駆動部材６６に連結されている。インパクト型アクチュエータ６０の駆動軸６４は、光軸Ｌに沿って配設されており、圧電素子６２は、図示しないブラケットを介してレンズ鏡筒１２に取り付けられている。したがって、インパクト型アクチュエータ６０を駆動して、被駆動部材６６を駆動軸６４に沿って移動させると、ロッド４２を介してフォーカスレンズ１６Ｆが光軸Ｌに沿って移動する。
【００７３】
このインパクト型アクチュエータ６０の駆動軸６４には、弁３０の押圧片３０ｂも摩擦係合されており、圧電素子６２に所定波形の駆動パルスを印加すると、被駆動部材６６とは別に押圧片３０ｂが駆動軸６４に沿って前後移動し、弁３０が開閉するように構成されている。
【００７４】
以上のように構成された本実施の形態の撮像ユニット１０Ｃによれば、圧電素子６２に所定波形の駆動パルスを印加すると、押圧片３０ｂが駆動軸６４に沿って前後移動し、弁３０が開閉する。これにより、必要に応じて弁３０を開閉させることができる。
【００７５】
なお、上記同様、撮影中、弁３０は閉じ、撮影以外の時に開くように制御することが好ましい。
【００７６】
なお、本実施の形態の撮像ユニット１０Ｃにおいても、ロッド４２をスリット４４の端部に連続的に当接させることにより、レンズ鏡筒１２に振動を発生させることができる。また、弁３０を連続的に開閉させることにより、振動を発生させることができる。
【図面の簡単な説明】
【００７７】
【図１】本発明に係る撮像ユニットの第１の実施の形態の側面断面図
【図２】図１に示した撮像ユニットの２−２断面図
【図３】光路中に形成する収容室の他の例を示す図
【図４】本発明に係る撮像ユニットの第２の実施の形態の側面断面図
【図５】本発明に係る撮像ユニットの第３の実施の形態の要部の構成を示す側面断面図
【図６】第３の実施の形態の撮像ユニットの作用の説明図
【図７】本発明に係る撮像ユニットのその他の実施の形態の要部の構成を示す側面断面図
【図８】本発明に係る撮像ユニットの第４の実施の形態の要部の構成を示す側面断面図
【符号の説明】
【００７８】
１０、１０Ａ、１０Ｂ、１０Ｃ…撮像ユニット、１２…レンズ鏡筒、１２ａ…レンズ鏡筒の内壁面、１４…撮像素子、１４ａ…封止ガラス、１６…レンズ、１６Ｆ…フォーカスレンズ、１８…絞り、２０…シャッタ、２２…基板、２４…凹部、２６…収容室（空間）、２６ａ…開口部、３０…弁、３０ａ…弁本体、３０ｂ…押圧片、３０ｃ…回転軸、３２…アクチュエータ、３２ａ…アクチュエータ本体、３２ｂ…押圧ピン、４０…レンズ枠、４２…ロッド、４４…スリット、４６…ナット部、４８…ネジ棒、５０…レンズ駆動モータ、５２…押圧部、６０…インパクト型アクチュエータ、６２…圧電素子、６４…駆動軸、６６…被駆動部材
【図１】
2008010938.tif 000003
【図２】
2008010938.tif 000004
【図３】
2008010938.tif 000005
【図４】
2008010938.tif 000006
【図５】
2008010938.tif 000007
【図６】
2008010938.tif 000008
【図７】
2008010938.tif 000009
【図８】
2008010938.tif 000010